(57)【特許請求の範囲】
【請求項１】
受電コイルを含む機器を充電可能なワイヤレス充電器であって、
機器の背面に当接可能な充電面と、
前記充電面が機器の背面に当接した状態で、受電コイルに対して非接触での充電が可能な送電コイルと、
前記充電面の背面側に設けられ、前記充電面を底面として立体的に形成された立体装飾体と、を備える、ワイヤレス充電器。
【請求項２】
載置面に背面を上方に向けて載置された機器の上に、前記充電面を下向きにして前記充電面と前記送電コイルと前記立体装飾体とを載置する場合には、前記充電面が機器の背面に充電可能に当接し、載置面よりも上で機器の背面の下に、前記立体装飾体を下向きにして前記充電面と前記送電コイルと前記立体装飾体とを配置する場合には、前記充電面が機器の背面に充電可能に当接しないように、前記立体装飾体が形成されている、請求項１に記載のワイヤレス充電器。
【発明の詳細な説明】
【技術分野】
【０００１】
本発明は、スマートフォン等の表示部を有する機器の充電が可能なワイヤレス充電器であって、機器の上に載置された状態で機器を充電可能なワイヤレス充電器に関する。
【背景技術】
【０００２】
従来、充電対象物をワイヤレス充電可能なワイヤレス充電器として、例えば、スマートフォン等の電子機器を充電可能な充電装置が公知である（特許文献１参照）。電子機器は、平面視において略長方形の板状である機器ケースと、機器ケースの前面に設けられ且つ各種情報が表示される表示領域と、機器ケース内に設けられた受電コイルと、を備える。充電装置の外観は箱状であり、充電装置の内部には送電コイルが配置されている。この充電装置によれば、電子機器が、その背面を充電装置の上面に配置した状態、即ち、表示領域を上方に向けた状態で、例えば、机などの上に置かれた充電装置の上に載置されると、電子機器の受電コイルに充電装置の送電コイルから電力が供給されることにより充電される。
【先行技術文献】
【特許文献】
【０００３】
【特許文献１】特開２０１６−１０３８９６号公報
【発明の概要】
【発明が解決しようとする課題】
【０００４】
ところで、前記充電装置では、電子機器が充電装置の上に載置されることから、充電装置を机などに置くことが可能であり且つ電子機器を載置可能な形状とする必要がある。そのため、充電装置の外観のデザインに制限があった。
【０００５】
本発明は、外観のデザインを様々に選択可能なワイヤレス充電器を提供することを目的とする。
【課題を解決するための手段】
【０００６】
本発明のワイヤレス充電器は、受電コイルを含む機器を充電可能なワイヤレス充電器であって、機器の背面に当接可能な充電面と、前記充電面が機器の背面に当接した状態で、受電コイルに対して非接触での充電が可能な送電コイルと、前記充電面の背面側に設けられ、前記充電面を底面として立体的に形成された立体装飾体と、を備える。
【０００７】
かかる構成によれば、立体装飾体のデザインとして任意のデザインを選択することで、ワイヤレス充電器の外観のデザインを様々に選択可能である。
【０００８】
また、前記ワイヤレス充電器では、載置面に背面を上方に向けて載置された機器の上に、前記充電面を下向きにして前記充電面と前記送電コイルと前記立体装飾体とを載置する場合には、前記充電面が機器の背面に充電可能に当接し、載置面よりも上で機器の背面の下に、前記立体装飾体を下向きにして前記充電面と前記送電コイルと前記立体装飾体とを配置する場合には、前記充電面が機器の背面に充電可能に当接しないように、前記立体装飾体が形成されてもよい。
【０００９】
かかる構成によれば、充電器は、載置面に対して機器が背面を上方に向けて載置された状態で機器を充電可能であるため、例えば、勉強中や仕事中などに、機器の前面に設けられたディスプレイを見たり、機器を操作したりすることを防ぐことができる。
【発明の効果】
【００１０】
以上より、本発明によれば、外観のデザインを様々に選択可能なワイヤレス充電器を提供することができる。
【図面の簡単な説明】
【００１１】
【図１】図１は、本実施形態に係るワイヤレス充電器の斜視図である。
【図２】図２は、前記ワイヤレス充電器の分解斜視図である。
【図３】図３は、前記ワイヤレス充電器の側面図である。
【図４】図４は、前記ワイヤレス充電器の背面図である。
【図５】図５は、前記ワイヤレス充電器の充電面が載置面に載置された機器の背面に当接している状態の斜視図である。
【図６】図６は、前記ワイヤレス充電器が載置面に載置され、且つ、充電面が機器の背面に当接していない状態の正面図である。
【発明を実施するための形態】
【００１２】
以下、本発明の実施形態について、図１〜図６を参照しつつ説明する。ワイヤレス充電器は、例えば、受電コイルを含む機器を充電可能な充電器である。このワイヤレス充電器は、機器に非接触な状態において、無線によりこの機器を充電可能な充電器である。なお、機器は、スマートフォンやタブレット端末等である。
【００１３】
図１に示すように、ワイヤレス充電器１（以下、単に「充電器１」とも称する）は、機器の背面に当接可能な充電面２０と、機器の受電コイルに対して非接触での充電が可能な送電コイル３と、充電面２０の背面側に設けられ、充電面２０を底面として立体的に形成された立体装飾体４と、を備える。本実施形態の充電器１は、一方の主面が充電面２０を構成する底板２を備える。また、本実施形態の充電器１は、図２に示すように、各種制御を行う制御部５、及び、送電コイル３や制御部５が設けられる台座６等を備える。さらに、本実施形態の充電器１には、ケーブル７が差し込み可能であり、充電器１は、ケーブル７を介して外部電源と接続可能である。
【００１４】
底板２は、図５に示すように、充電対象となる機器であるスマートフォン８の背面８０と当接可能な充電面２０を有する部材である。また、底板２は、略平坦な板状である（図２参照）。底板２の外縁２１は、立体装飾体４の底板２と接続する部分と対応した形状を有し、例えば、立体装飾体４の底側に位置する底端縁４０と対応した形状を有する。本実施形態の底板２には、ねじ（不図示）を挿通可能な貫通孔２２が設けられている。また、本実施形態の底板２では、貫通孔２２が底板２の外周部に設けられている。なお、充電面２０は、略平坦な面である。
【００１５】
立体装飾体４は、凹凸、平面、曲面、傾斜面等の組み合わせにより造形された立体構造物であって、装飾性を有する立体構造物である。本実施形態の立体装飾体４は、主に曲面により造形されている。また、立体装飾体４は、底側に開口４１が設けられた中空の部材である。
【００１６】
本実施形態の立体装飾体４は、底側の端部に位置し、且つ、ねじを挿通可能なねじ孔が設けられた底端部を有する。この立体装飾体４の開口４１が底板２により閉塞された状態で、立体装飾体４は底板２に対してねじにより接続される。立体装飾体４は、底板２に接続されることにより、底板２とともに内部に送電コイル３等を収容する空間を構成する。なお、立体装飾体４は底板２に対して、外嵌や接着剤等のねじ以外により接続されてもよい。
【００１７】
立体装飾体４は、例えば、犬、猫、人間等の動物、木や花等の植物、塔や石造等の建造物、岩石等を模している。本実施形態の立体装飾体４は、寝そべった犬の形状を有する。
【００１８】
また、立体装飾体４の少なくとも一部は、充電面２０から背面側（底側と反対側）に膨出している。本実施形態の立体装飾体４の全域は、充電面２０から背面側に膨出している。具体的に、立体装飾体４は、底板２に接続される本体部４２と、本体部４２からさらに背面側に膨出する膨出部４３と、を含む。
【００１９】
本体部４２は、充電面２０と垂直な方向（立体装飾体４の高さ方向）から平面視したとき、例えば、略長尺状である。本実施形態の立体装飾体４では、本体部４２は、犬の胴や足の部分である。
【００２０】
膨出部４３は、例えば、互いに離間した状態で、本体部４２に設けられた複数の部位を含む。本実施形態の膨出部４３は、互いに離間した状態で、本体部４２に設けられた第一膨出部４３１及び第二膨出部４３２を含む。第一膨出部４３１及び第二膨出部４３２は、例えば、互いに異なった形状を有する。本実施形態の立体装飾体４では、第一膨出部４３１が犬の頭や耳の部分であり、第二膨出部４３２が犬の尾の部分である。
【００２１】
立体装飾体４（例えば、第一膨出部４３１）は、最も背面側に位置する頂部４３３を有する。本実施形態の立体装飾体４では、頂部４３３は犬の耳の上部である。頂部４３３の外面４３４は、例えば、充電面２０の背面側に凸となるよう湾曲した曲面である。
【００２２】
さらに、立体装飾体４は、充電面２０と垂直な方向、及び、充電面２０の面方向のうち少なくとも一つの方向から視たとき、非対称な形状を有する。例えば、立体装飾体４は、充電面２０と垂直な方向から視たときに非対称な形状を有するとともに、充電面２０の面方向から視たときにも、非対称な形状を有する。
【００２３】
本実施形態の立体装飾体４は、充電面２０と垂直な方向から平面視したとき、非対称な形状を有する。具体的に、充電面２０と垂直な方向から平面視したとき、第二膨出部４３２が本体部４２の中央から一方側に偏った位置に配置されているため、立体装飾体４は非対称な形状を有する。
【００２４】
また、本実施形態の立体装飾体４は、図３に示すように、充電面２０の面方向のうち立体装飾体４の短手方向から視たとき（側面視したとき）、非対称な形状を有する。具体的に、充電面２０の面方向のうち立体装飾体４の短手方向から視たとき、第一膨出部４３１が本体部４２の長手方向における一方側の端部（図３における左端部）に配置され、且つ、第一膨出部４３１と異なる形状の第二膨出部４３２が本体部の長手方向における他方側の端部（図３における右端部）に配置されているため、立体装飾体４は非対称な形状を有する。
【００２５】
正面視における立体装飾体４の充電面２０からの高さＨ４は、不均一である。具体的に、立体装飾体４は、高さの高い高領域４４と、高領域４４よりも高さの低い低領域４５と、を有する。立体装飾体４において、高領域４４及び低領域４５は、充電面２０の面方向において並ぶとともに一体化して立体的な装飾を形成している。なお、立体装飾体４の重心Ｃ４は、高領域４４の重心Ｃ４５（充電面２０に垂直な方向において、高領域４４の中心に位置する重心Ｃ４５）に対して、充電面２０の面方向においてずれている。
【００２６】
さらに、本実施形態の立体装飾体４は、図４に示すように、充電面２０の面方向のうち立体装飾体４の長手方向から視たとき（背面から視たとき）、非対称な形状を有する。具体的に、充電面２０の面方向のうち立体装飾体４の長手方向から視たとき、第二膨出部４３２が本体部４２の中央から一方側に偏った位置に配置されているため、立体装飾体４は非対称な形状を有する。
【００２７】
本実施形態の立体装飾体４には、図示していないが、ケーブル７が差し込み可能な差込口が設けられている。この差込口は、例えば、立体装飾体４の外周面、例えば、本体部４２の外周面（具体的に、犬の胴体の外周面）に配置されている。
【００２８】
また、本実施形態の立体装飾体４（具体的に、犬の鼻の部分）には、報知部４６が設けられている。報知部４６は、光や音等により外部に対する報知を行う部材である。本実施形態の報知部４６は、光によりこの報知を行う。この報知部４６は、制御部５に接続されている。具体的に、報知部４６は、ＬＥＤ及びレンズ等を含む。
【００２９】
また、本実施形態の報知部４６は、充電が行われているときや充電が行われていないときに報知を行う。具体的に、報知部４６は、充電が行われているとき、充電が行われていないとき、機器８が満充電されているとき、及び、充電面２０にスマートフォン８以外の異物（例えば、金属）が載置されたとき等において、それぞれ出射光を異ならせたり、点灯や点滅を異ならせたりすることにより報知する。
【００３０】
制御部５は、充電に関する制御を行う部材である（図２参照）。また、制御部５は、例えば、回路基板である。さらに、制御部５は、例えば、中央に貫通孔が設けられた略矩形板状である。制御部５には、外部電源と電気的に接続されたケーブル７を差し込み可能なコネクタが設けられている。さらに、制御部５は、送電コイル３に接続されている。
【００３１】
例えば、制御部５は、充電が行われているか否かを判定可能である。本実施形態の制御部５は、送電コイル３に流れる電流値或いは電圧値を検知可能であり、送電コイル３に流れる電流値或いは電圧値が所定値よりも大きいとき、スマートフォン８の受電コイル８１に対する充電が行われていると判定する。また、制御部５は、この充電が行われていると判定すると、報知部４６にその旨の報知を行わせる。
【００３２】
また、制御部５は、機器８が満充電であるか否かや、充電面２０に何らかの物体が載置されているか否か等を検知可能である。本実施形態の制御部５は、機器８が満充電であると検知したときや、充電面２０に何らかの物体が接触した状態において充電が行われていない、即ち、充電面２０に異物が接触したとき、報知部４６にその旨の報知を行わせる。
【００３３】
送電コイル３は、充電面２０が機器８の背面８０に当接した状態で、受電コイルを充電可能な部材である（図２、図５参照）。具体的に、送電コイル３は、外部電源と接続され、且つ、スマートフォン８の受電コイル８１が所定距離以内の間隔をあけた状態で重ねられたとき、受電コイル８１との間に電磁誘導が生じる。これにより、送電コイル３は、受電コイル８１に対して非接触でワイヤレス充電が可能である。なお、送電コイル３は、外部電源と電気的に接続されたケーブル７に制御部５を介して接続される。
【００３４】
送電コイル３のサイズは、例えば、スマートフォン８の受電コイル８１のサイズと略同一である。具体的に、本実施形態の送電コイル３の半径は、例えば、受電コイル８１の半径と略同一である。尚、送電コイル３の半径は、受電コイル８１の半径よりも小さくてもよいし大きくてもよい。送電コイル３の巻回軸は、充電面２０に対して垂直に、即ち、充電面２０の法線方向に延びている。送電コイル３は、外部電源と有線接続可能である。また、送電コイル３は、底板２に重ねられる（図２参照）。
【００３５】
以上の充電器１では、載置面Ｓに対して、スマートフォン８がその背面８０を上方に向けて載置された場合に、スマートフォン８の背面８０に、充電器１の充電面２０が充電可能に当接する（図５参照）。即ち、載置面Ｓに背面８０を上方に向けて載置されたスマートフォン８の上に、充電面２０を下向きにして充電面２０と送電コイル３と立体装飾体４とを載置する場合、充電器１の充電面２０がスマートフォン８の背面８０に充電可能に当接する。これにより、充電器１は、スマートフォン８に内蔵され且つ受電コイル８１を含む電池パックを充電する。なお、「スマートフォン８の背面８０が上方を向く」とは、背面８０が載置面Ｓに対して垂直上向きとなる状態に加えて、背面８０が載置面Ｓに垂直な方向に対して傾斜して、斜め上向きとなる状態も含む。
【００３６】
一方、充電器１では、図６に示すように、載置面Ｓに対して立体装飾体４が充電面２０以外の部分、例えば、膨出部４３で当接して配置されている場合、具体的に、第一膨出部４３１（本実施形態の第一膨出部４３１では、頂部４３３）と、第二膨出部４３２とで当接して載置されている場合には、スマートフォン８の背面８０に充電面２０が当接しない。即ち、載置面Ｓよりも上でスマートフォン８の下に、立体装飾体４を下向きにして充電面２０と送電コイル３と立体装飾体４とを載置する場合、充電器１の充電面２０がスマートフォン８の背面８０に充電可能に当接しない。そのため、充電器１は、スマートフォン８に内蔵され且つ受電コイル８１を含む電池パックを充電しない。
【００３７】
なお、本実施形態の充電器１では、立体装飾体４の重心Ｃ４は、高領域４４の重心Ｃ４５に対して、充電面２０の面方向においてずれているため（図４参照）、上下逆さまの姿勢、即ち、載置面Ｓに対して、充電面２０を上方に向けた状態で（立体装飾体４を下向きにして）載置されることがそもそも困難である。
【００３８】
また、従来の充電器では、充電面を上向きにした状態で、充電器の上にスマートフォン８が配置されるため、充電器の上部のデザインは、平坦な充電面を含む形状に限られており、板状やスタンド状といったデザインに限られていた。これに対して、以上の充電器１によれば、充電面２０を底面とする立体装飾体４であれば、立体装飾体４の形状に制限がないため、立体装飾体４のデザインとして任意のデザインを選択することで、充電器１の外観のデザインを様々に選択可能である。
【００３９】
本実施形態の充電器１は、載置面Ｓに対してスマートフォン８が背面８０を上方に向けて載置されたときに、スマートフォン８を充電可能であるため、利用者が、スマートフォン８の充電中に、勉強や仕事などを行う場合、スマートフォン８の前面に設けられたディスプレイを見たり、スマートフォン８を操作したりすることを防ぐことができる。
【００４０】
また、本実施形態の充電器１では、載置面Ｓに対して立体装飾体４が頂部４３３で当接して載置されると、頂部４３３の外面４３４である充電面２０の背面側に凸となるよう湾曲した曲面が、立体装飾体４及びその上に置かれるスマートフォン８を支持することになるため、充電器１の姿勢が安定しない。そのため、利用者が、充電器１を逆向きにした状態で使用することを防ぐことができる。
【００４１】
さらに、本実施形態の充電器１では、立体装飾体４に設けられた報知部４６が充電や給電が行われている旨の報知するため、この報知に応じて充電器１をスマートフォン８の背面８０上において面方向に移動させることで、充電器１のスマートフォン８に対する位置合わせを容易に行うことができる。
【００４２】
尚、本発明の充電器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４３】
上記実施形態の充電器１では、立体装飾体４が寝そべった犬を模していたが、立体装飾体４の形状は問わない。例えば、上記実施形態の立体装飾体４は、充電面２０と垂直な方向から視たときに非対称な形状を有するとともに、充電面２０の面方向から視たときにも、非対称な形状を有していたが、いずれの方向から視たときにも、対称な形状を有していてもよい。また、上記実施形態の立体装飾体４では、頂部４３３の外面４３４が曲面であったが、外面４３４の形状も問わない。
【００４４】
例えば、立体装飾体４は、頂部４３３が、尖った形状を有する形状であってもよい。また、頂部４３３の外面４３４は、充電面２０に対して傾斜した傾斜面であってもよい。この構成であっても、載置面Ｓに対して、立体装飾体４の頂部４３３の外面４３４が当接するように載置すると、充電面２０が載置面Ｓに対して傾斜すれば、充電面２０をスマートフォン８の背面８０に当接させることが困難である。このような構成においても、載置面Ｓに対してスマートフォン８が背面８０を上方に向けて載置されたときに、スマートフォン８を充電可能であるため、利用者が、スマートフォン８の充電中に、スマートフォン８の前面に設けられたディスプレイを見たり、スマートフォン８を操作したりすることを防ぐことができる。
【００４５】
上記実施形態の充電器１は、載置面Ｓに対して立体装飾体４が充電面２０以外の部分で当接して載置されている場合、即ち、載置面Ｓよりも上でスマートフォン８の下に、立体装飾体４を下向きにして充電面２０と送電コイル３と立体装飾体４とを載置する場合には、スマートフォン８の背面８０に充電面２０が当接しない構成であったが、これ以外の構成であってもよい。例えば、充電器１は、載置面Ｓに対して立体装飾体４が充電面２０以外の部分で当接して載置されている場合には、充電面２０とスマートフォン８との背面８０とが当接し、且つ、受電コイル８１と送電コイル３とが対向しないことにより充電が不可能になり、載置面Ｓに対してスマートフォン８が背面８０を上方に向けて載置されたときに、スマートフォン８を充電可能な構成であってもよい。この構成であっても、利用者が、スマートフォン８の充電中に、勉強や仕事などを行う場合、スマートフォン８の前面に設けられたディスプレイを見たり、スマートフォン８を操作したりすることを防ぐことができる。
【００４６】
上記実施形態の報知部４６は、充電が行われている旨の報知、及び、充電が行われていない旨の報知の両方を行っていたが、充電が行われている旨の報知のみを行い、充電が行われていない旨の報知を行わなくてもよい。また、報知部４６は、充電が行われていない旨の報知のみを行い、充電が行われている旨の報知を行わなくてもよい。尚、報知部４６は、光以外の方法、例えば、音により報知を行ってもよい。
【符号の説明】
【００４７】
１…ワイヤレス充電器（充電器）、２…底板、３…送電コイル、４…立体装飾体、５…制御部、６…台座、７…ケーブル、８…機器（スマートフォン）、２０…充電面、２１…外縁２１…貫通孔、４０…底端縁、４１…開口、４２…本体部、４３…膨出部、４４…高領域、４５…低領域、４６…報知部、４７…端部、８０…背面、８１…受電コイル、４３１…第一膨出部、４３２…第二膨出部、４３３…頂部、４３４…外面、Ｃ４、Ｃ４５…重心、Ｓ…載置面、Ｈ４…高さ
【要約】
【課題】外観のデザインを様々に選択可能なワイヤレス充電器を提供する。
【解決手段】受電コイルを含む機器を充電可能なワイヤレス充電器であって、機器の背面に当接可能な充電面と、前記充電面が機器の背面に当接した状態で、受電コイルに対して非接触での充電が可能な送電コイルと、前記充電面の背面側に設けられ、前記充電面を底面として立体的に形成された立体装飾体と、を備える。
【選択図】図５【図１】
0006799651.tif 000002
【図２】
0006799651.tif 000003
【図３】
0006799651.tif 000004
【図４】
0006799651.tif 000005
【図５】
0006799651.tif 000006
【図６】
0006799651.tif 000007